(57)【特許請求の範囲】
【請求項１】
蒸気発生量が変動する転炉ボイラーの蒸気アキュムレータと、蒸気要求圧力の異なる複数の蒸気使用設備とをつなぐ蒸気管の途中に設けた圧力調節弁により、前記各蒸気使用設備の蒸気要求圧力に応じて該蒸気使用設備に供給される蒸気圧力を調整しつつ、前記蒸気アキュムレータ及び前記転炉ボイラーから前記複数の蒸気使用設備に蒸気を供給する方法において、
前記蒸気アキュムレータ内の蒸気圧力を測定し、その測定圧力値と前記各蒸気要求圧力とを比較し、前記測定圧力値が上昇して、前記測定圧力値が前記蒸気要求圧力を超えた蒸気使用設備への蒸気供給を開始すると共に、前記測定圧力値が低下して、前記測定圧力値が前記蒸気要求圧力以下になった蒸気使用設備への蒸気供給を停止することにより、前記測定圧力値より低い蒸気要求圧力が使用される蒸気使用設備のみに、その蒸気要求圧力に応じた蒸気を供給することを特徴とする蒸気アキュムレータによる蒸気供給方法。
【発明の詳細な説明】
【０００１】
【発明の属する技術分野】
本発明は、蒸気発生量の変動するボイラーの蒸気アキュムレータから複数の蒸気使用設備への蒸気供給方法に関する。
【０００２】
【従来の技術】
転炉で溶銑を吹錬中に発生する転炉ガスは高温であることから、この熱を回収する方法が従来より種々提案されている。例えば、転炉炉口上部を覆うフードなどに熱回収装置を設けて熱を蒸気として回収し、この回収した蒸気を蒸気管を通して溶鋼真空処理装置や他の一般工場設備などの蒸気使用設備に供給している。しかし、転炉は間欠運転のため蒸気は間欠的に発生するので、発生した蒸気は蒸気アキュムレータに貯蔵し、そして一定圧力で蒸気を蒸気管に供給し、蒸気アキュムレータの圧力が要求圧力以下になると蒸気の供給を停止していた。
【０００３】
これを、図２を参考にして具体的に説明する。
転炉ボイラー１により発生した蒸気は蒸気アキュムレータ２に供給され、この蒸気アキュムレータ２内の蒸気は蒸気管を通して要求圧力の異なる蒸気使用設備６、７（例えば、蒸気使用設備６の要求圧力の方が蒸気使用設備７の要求圧力より高いとする）に供給される。さらに、蒸気アキュムレータ２に圧力計３を設けると共に蒸気管に圧力調節弁４、５を設けている。
そして、制御装置８は、圧力計３で測定した蒸気圧力を入力し、この測定した蒸気圧力により各蒸気使用設備６、７の要求圧力となるように各圧力調節弁４、５を調整している。しかし、圧力計３で測定した蒸気アキュムレータ２内の蒸気圧力が、高圧側の蒸気使用設備６の要求圧力未満になると、制御装置８は圧力調節弁４、５の両方を閉鎖して両蒸気使用設備６、７への蒸気の供給を停止するものである。
【０００４】
【発明が解決しようとする課題】
しかし、上記従来の方法は、要求圧力の低い蒸気使用設備７に蒸気アキュムレータ２から蒸気を供給できる状態にあるにも係わらず、該蒸気使用設備７への蒸気の供給を停止するので、該蒸気アキュムレータ２内には多くの蒸気を貯留した状態で、転炉ボイラー１から蒸気を導入する事になる。このため、転炉稼働率が変動して転炉ボイラー１からの蒸気発生量が増加した場合や、蒸気使用設備６、７の使用蒸気量が低減した場合には、すぐに蒸気アキュムレータ２の蒸気貯蔵能力を超え、該蒸気アキュムレータ２内の蒸気を大気中に放散せざるを得ない問題があった。
本発明はこのような事情に鑑みてなされたもので、蒸気アキュムレータを大型化、高コスト化せずに蒸気の大気放散を抑制する蒸気アキュムレータによる蒸気供給方法を提供することを目的とする。
【０００５】
【課題を解決するための手段】
前記目的に沿う本発明に係る蒸気アキュムレータによる蒸気供給方法は、蒸気発生量が変動する転炉ボイラーの蒸気アキュムレータと、蒸気要求圧力の異なる複数の蒸気使用設備とをつなぐ蒸気管の途中に設けた圧力調節弁により、前記各蒸気使用設備の蒸気要求圧力に応じて該蒸気使用設備に供給される蒸気圧力を調整しつつ、前記蒸気アキュムレータ及び前記転炉ボイラーから前記複数の蒸気使用設備に蒸気を供給する方法において、前記蒸気アキュムレータ内の蒸気圧力を測定し、その測定圧力値と前記各蒸気要求圧力とを比較し、前記測定圧力値が上昇して、前記測定圧力値が前記蒸気要求圧力を超えた蒸気使用設備への蒸気供給を開始すると共に、前記測定圧力値が低下して、前記測定圧力値が前記蒸気要求圧力以下になった蒸気使用設備への蒸気供給を停止することにより、前記測定圧力値より低い蒸気要求圧力が使用される蒸気使用設備のみに、その蒸気要求圧力に応じた蒸気を供給している。
【０００６】
【発明の実施の形態】
続いて、添付した図面を参照しつつ、本発明を具体化した実施の形態につき説明し、本発明の理解に供する。
ここに、図１は本発明の一実施の形態に係る蒸気アキュムレータによる蒸気供給方法を示すブロック図、図３は経過時間と蒸気アキュムレータ内の蒸気圧力の関係を示すグラフである。
本発明の一実施の形態に係る蒸気アキュムレータによる蒸気供給方法について、図１を参照して説明する。
図１中、２は転炉ボイラー（ボイラー）１で発生して蒸気を貯留する蒸気アキュムレータ、６、７は蒸気使用設備であり、この蒸気使用設備６の方が蒸気使用設備７より蒸気要求圧力が高いものとする。４、５は各蒸気使用設備６、７の上流側に設けた圧力調節弁、８は制御装置であって、蒸気アキュムレータ２に設けた圧力計３で蒸気アキュムレータ２内の蒸気圧力を測定してその測定圧力値Ｐ３を入力し、この測定圧力値Ｐ３と、予め設定入力した蒸気使用設備６の蒸気要求圧力Ｐ６、更には、蒸気使用設備７の蒸気要求圧力Ｐ７を比較し、入力した測定圧力値Ｐ３が、先ず、蒸気要求圧力Ｐ６を下回ると、下回った対象の蒸気使用設備６の上流側に設けた圧力調節弁４を閉鎖して、更に、蒸気アキュムレータ２内の圧力が低下して、圧力計３の測定圧力値Ｐ３が蒸気使用設備７の蒸気要求圧力Ｐ７を下回ると、圧力調節弁５を閉鎖するための制御を行っている。
【０００７】
かくして、蒸気アキュムレータ２内の測定蒸気圧力に基づいて、制御装置８により蒸気使用設備６に続いて、蒸気使用設備７の蒸気の停止を行うことにより、低圧の蒸気使用設備７の蒸気要求圧力迄、蒸気アキュムレータ２から蒸気使用設備７に蒸気を供給する事が出来る。この為、蒸気アキュムレータ２内に残る蒸気量を低減する事が可能になり、該蒸気アキュムレータ２の蒸気貯蔵能力を拡大することが出来る。このため、転炉稼働率が変動して転炉ボイラー１からの蒸気発生量が増加した場合や、蒸気使用設備６、７の使用蒸気量が低減した場合においても、蒸気の放散を抑制することを可能とするものである。
【０００８】
【実施例】
本発明の一実施例を図１を参照して説明する。
転炉ボイラー１から蒸気アキュムレータ２に供給する蒸気の圧力は４０ｋｇ／ｍ2 に設定され、該転炉ボイラー１の蒸気圧力が４０ｋｇ／ｍ2 になった段階で前記転炉ボイラー１から蒸気アキュムレータ２に蒸気を供給するように運転制御される。
蒸気使用設備６の設定圧力値は２０ｋｇ／ｍ2 であり、圧力調節弁４により４０ｋｇ／ｍ2 の高圧から２０ｋｇ／ｍ2 の低圧に蒸気を減圧して蒸気使用設備６に蒸気を供給する。また、蒸気使用設備７の設定圧力値は１０ｋｇ／ｍ2 であり、圧力調節弁５は４０ｋｇ／ｍ2 から１０ｋｇ／ｍ2 の低圧に減圧し蒸気使用設備７としての溶鋼真空処理装置に供給する。
また、蒸気アキュムレータ２の圧力を圧力計３で検出し、検出圧力を制御用コンピュータ等の制御装置８に入力する。制御装置８は次に述べるように蒸気使用設備６、７の蒸気要求圧力２０ｋｇ／ｍ2 と１０ｋｇ／ｍ2 と蒸気アキュムレータ２の測定圧力値に基づいて蒸気を供給する。
【０００９】
以下、蒸気アキュムレータ２の圧力を時系列で示した図３を参照して蒸気供給方法を具体的に説明する。
図中、Ｂ時間迄は転炉で吹錬が行われており、転炉ボイラー１から蒸気が順次供給され、蒸気アキュムレータ２内の圧力が高くなっている。このＢ時間以降からＤ時間迄は転炉で吹錬が行われておらず転炉ボイラー１から蒸気の供給が停止し、さらに、Ｄ時間以降はＢ時間迄と同様に、転炉で吹錬が行われており、転炉ボイラー１から蒸気アキュムレータ２に蒸気が供給され、蒸気アキュムレータ２内の圧力が高くなっている。
転炉ボイラー１から蒸気が蒸気アキュムレータ２内に供給され始め、該蒸気アキュムレータ２の圧力が上昇し始める。蒸気アキュムレータ２の圧力が１０ｋｇ／ｍ2を超えると圧力調節弁５が開となり、蒸気使用設備７への蒸気供給が開始される。そして、Ａ時間で蒸気アキュムレータ２内の圧力が２０ｋｇ／ｍ2となり蒸気使用設備６に蒸気を供給するために、圧力調節弁４を開して蒸気使用設備６に蒸気の供給を開始する。尚、当然であるが、蒸気アキュムレータ２内の圧力が１０ｋｇ／ｍ2を超えていても蒸気使用設備６、又は、蒸気使用設備７が稼働していない（蒸気を必要としない）場合には圧力調節弁４、又は、圧力調節弁５を閉にして蒸気の供給は停止している。
更に、Ｂ時間を過ぎると蒸気アキュムレータ２内の蒸気圧力は順次低くなり、Ｃ時点で蒸気アキュムレータ２内の圧力が蒸気使用設備６の要求圧力の２０ｋｇ／ｍ2となり、圧力調節弁４を閉にして蒸気使用設備６への蒸気供給を停止する。
【００１０】
また、Ｄ時間では蒸気アキュムレータ２内の圧力が蒸気使用設備７の蒸気要求圧力の１０ｋｇ／ｍ2 となり、圧力調節弁５を閉にして蒸気供給を停止する。
Ｄ時間で再度、転炉ボイラー１から蒸気が蒸気アキュムレータ２内に供給され始め、該蒸気アキュムレータ２の圧力が上昇し始める。そして、蒸気アキュムレータ２の圧力が１０ｋｇ／ｍ2 を超えると圧力調節弁５が開となり、蒸気使用設備７への蒸気供給が開始され、更に、蒸気アキュムレータ２の圧力が２０ｋｇ／ｍ2 を超えると圧力調節弁４を開にして蒸気使用設備６への蒸気の供給を開始する。
【００１１】
【発明の効果】
以上、説明したように、本発明によれば、蒸気アキュムレータの使用圧力範囲を拡大することができ、蒸気アキュムレータの容量を変えることなく、蒸気の貯蔵能力を増やすことが可能になるため、コストを上げることなくボイラーから発生した蒸気の大気への放散を減少させることができる。
【図面の簡単な説明】
【図１】本発明の一実施の形態に係る蒸気アキュムレータによる蒸気供給方法を示すブロック図である。
【図２】従来の蒸気供給例を示すブロック図である。
【図３】経過時間と蒸気アキュムレータ内の蒸気圧力の関係を示すグラフである。
【符号の説明】
１：転炉ボイラー、２：蒸気アキュムレータ、３：圧力計、４：圧力調節弁、５：圧力調節弁、６：蒸気使用設備、７：蒸気使用設備（溶鋼真空処理設備）、８：制御装置
【図１】
0004767460.tif 000002
【図２】
0004767460.tif 000003
【図３】
0004767460.tif 000004